【事件の表示】
　上記当事者間の登録第２１８１０７７号商標の登録取消審判事件について、次のとおり審決する。
【結　論】
　本件審判の請求は、成り立たない。
　審判費用は、請求人の負担とする。
【理　由】
第１　本件商標
　本件登録第２１８１０７７号商標（以下「本件商標」という。）は、「三陽物産」の文字を横書きしてなり、昭和６２年７月１７日に登録出願、第９類「食料または飲料加工機械器具、その他本類に属する商品」を指定商品として、平成１年１０月３１日に設定登録、その後、同１１年１１月３０日に商標権存続期間の更新登録がされたものである。本件取消審判の請求の登録は同１４年３月６日にされている。
　
第２　請求人の主張
　請求人は、「商標法第５０条第１項の規定により、本件商標の指定商品中『遊園地用機械器具，パチンコ玉研磨機，メダル研磨機，パチンコ玉の自動補給回収循環装置，スロットマシン用メダルの自動補給回収循環装置，パチンコ玉貸し機，パチンコ玉計数機，スロットマシン用メダル貸し機，メダル計数機，ならびにこれらに類似する商品』については、その登録は、取り消す、審判費用は被請求人の負担とする」との審決を求めると申立て、その理由及び被請求人の答弁に対する弁駁を要旨次のように述べている。
１　本件商標は、少なくとも過去３年以上、上記取消請求に係る指定商品について商標権者によって使用されている事実を発見できず、また、専用使用権及び通常使用権が設定登録されている事実もない（甲第２号証）。
　したがって、本件商標は、商標法第５０条第１項に該当する。
２　被請求人の答弁に対して弁駁する。
（１）まず、被請求人が本件商標を使用していると主張する「パチンコ及びスロットマシン専用の景品」について述べる。
　ゲームのプレーヤーは、この景品を次の手順で入手する。すなわち、パチンコゲームで得られた玉又はスロットマシンゲームで得られたメダルを、ゲーム場の店内に設置された玉又はメダル用のホッパーに投入して、出玉に応じて出されたレシートを店内の景品カウンターに持っていって、ゲーム場従業員に手渡す。ゲーム場従業員は受け取ったレシートを景品自動支払機に挿入し、同機の自動計算により景品として「ＩＣメモリなどを含んだプラスチック製のカードと、ペンダント又はメダル、あるいはマーカー」が払い出されて、これがゲームプレーヤーに手渡される。
　この手渡された「ＩＣメモリなどを含んだプラスチック製のカード」は、そこに印字されたＮＯ．５０００、ＮＯ．１０００等の数字に応じてゲーム場店外で金銭に換金される証書となるものであり、一種の兌換券にすぎない。すなわちこの景品と主張する物は、ゲームプレーヤーに金銭と引き換えに販売される商品ではない。
　したがって、パチンコゲームやスロットゲームに関連する特殊景品と主張する物は、商標法上の商品ではなく、当然本件取消請求に係る指定商品に該当するものではない。
　なお、被請求人は、上記景品と主張する物に係る納品書、請求書等を使用を証する書面として提出しているが、本件商標の指定商品の使用とは何らかかわりがない。
（２）次に、被請求人は、本件商標「三陽物産」を被請求人の商号「株式会社三陽物産」を示す商号商標として取得しているので、「（株）三陽物産」あるいは「株式会社三陽物産」という表示をしたものについて本件商標の使用であると主張している点について述べる。
　そもそも、商号商標とは、「株式会社」「有限会社」等の企業の組織形態を明示する語と他の語とが結合した語を商標として使用する場合に称するものである。したがって、株式会社、有限会社等を含まない商標は商号商標ではなく、商号の略称であり、まして株式会社又は（株）等の組織形態を示す表示を含まない登録商標に株式会社等の文字を付したものは根本的に登録商標の同一性から逸脱し、登録商標の使用ではない。
　したがって、被請求人の主張する「卓上型景品自動払出機」や「景品買取機」に表示されている標章の使用態様は、単に発売元の商号を表示しているだけであって、本件商標の使用ということはできない。
（３）以上述べたことから、被請求人の述べている事項は商標法上の商品性ばかりでなく、標章自体の態様からも登録商標の使用ということはできない。
　したがって、本件商標は、取消請求に係る指定商品について使用されているものではない。
　
第３　被請求人の主張
　被請求人は、結論と同旨の審決を求めると答弁し、その理由を要旨次のように述べ、証拠方法として乙第１号証ないし同第１２号証（枝番を含む。）を提出している。
１　被請求人である本件商標の権利者は、商標「三陽物産」について「パチンコ及びスロットマシン専用の景品」に係る商品は平成１０年頃より、また「パチンコ及びスロットマシン用卓上型景品自動払出機」の商品については平成１２年頃より、さらにまた「パチンコ及びスロットマシン用景品用の景品買取機」については平成８年以来現在に至るまで使用している事実がある。
２　まず始めに「パチンコ及びスロットマシン専用の景品」及び「卓上型景品自動払出機」の商品に係る使用の事実について説明する。
（１）乙第２号証（枝番は省略した。以下同じ。）は、それぞれ模様を異にした３種類と５種類の異なるタイプのパチンコ及びスロットマシン専用の景品を並べてカラーコピーしたもので、ＩＣメモリなどを含んだプラスチック製のカード型形状を備えており、ペンダント，メダルあるいはマーカーを内蔵してあり、いずれの景品にも販売元として本件商標である「三陽物産」という表示が、商号と兼用して用いられていることが一見して誰でも容易に認知できる。
　これらのコピーに示されるパチンコ及びスロットマシン専用の景品は、例えば乙第３号証のカタログに示す各ゲーム場内に設置できる卓上型景品自動払出機を利用することによって、必要な景品が店内で自動的に得られるものであって、パチンコ及びスロットマシン用にのみ用いられている特殊な景品であって、請求人が取り消そうと主張している本件商標の指定商品に該当するものであることは明らかである。
（２）乙第４号証は、被請求人の取引先の一社である、ミマツ観光有限会社（店名は「アクセス２４８」として営業している。）が発行した証明書であり、これを裏付けるものとして被請求人が発行した納品書を乙第５号証として提示する。
（３）乙第７号証は、特殊景品及び卓上型景品自動払出機（乙第３号証）の両者を含む株式会社ザップの使用証明書である。
　なお、乙第３号証の実物写真について、株式会社ザップに備え付けられている事実を乙第８号証として提示する。
３　次に、「パチンコ及びスロットマシン用景品用の景品買取機」に係る商品の使用の事実について説明する。
（１）乙第９号証は、景品交換所である有限会社若狭物産の証明書であって、被請求人の商号「株式会社三陽物産」を表示した「景品買取機」の納入した事実を証明するもので、ゲーム顧客が持参した特殊景品を現金等に交換する機器である。
（２）次に、商品の「パチンコ及びスロットマシン用の景品」の仕入先である株式会社ジーエス企画が作成した証明書を乙第１０号証として提示する。
　この証明書によれば、被請求人が販売している特殊景品を納入している事実を示すものであって、乙第１１号証及び同第１２号証の納品書及び請求書によって、実際の取引があったことが示されるとともに、これらから分かるように、品名欄に記載されている品名はすべてパチンコやスロットマシン用の特殊景品であることは容易に認められる。
４　以上は、本件商標の使用を示す証明事項に基づくものであるが、パチンコ及びスロットマシン用の「特殊景品」を始め、ゲーム場店内で使用される「卓上型景品自動払出機」及び「景品買取機」については、本審判請求の日より過去３年以上以前より本件商標と実質同一の商号を商標として使用していることは明らかであって、請求人の不使用とする指定商品に含まれる商品についての使用の事実は明確であると確信する。
　以上述べたとおり、本件商標は、不使用に基づく取消理由を有しないことは明らかである。
　
第４　当審の判断
１　本件商標は、「三陽物産」の文字よりなるものであり、その指定商品及び請求に係る指定商品は前記のとおりである。
２　被請求人の提出に係る証拠によれば、以下の事実が認められる。
（１）平成１０年８月６日、同１１年５月２５日、同１２年５月１３日、同１３年１月１３日及び同１３年１１月２日の５回にわたり、被請求人は、株式会社ジーエス企画（埼玉県川口市所在）より、パチンコ及びスロットマシン専用カード型景品を仕入れた。該パチンコ及びスロットマシン専用の景品には「発売元」として「（株）三陽物産」と記載されていた（乙第１１号証及び同第１２号証）。
（２）被請求人は、ミマツ観光有限会社（愛知県豊田市所在）と、パチンコ及びスロットマシン専用カード型景品について平成１１年２月より同１４年５月に至るまで引き続き取引があった。該カード型景品には「発売元」として「（株）三陽物産」と記載されていた（乙第４号証ないし同第６号証）。
（３）被請求人は、株式会社ザップ（神奈川県大和市所在）とパチンコ及びスロットマシン専用カード型景品について平成１２年１２月より同１４年５月に至るまで引き続き取引があった。該カード型景品には「発売元」として「（株）三陽物産」と記載されていた（乙第７号証）。
（４）被請求人は、株式会社ザップ（神奈川県大和市所在）に、パチンコ及びスロットマシン用卓上型景品自動払出機を平成１２年１２月に納品した。スロットマシン用卓上型景品自動払出機のカタログには「発売元」として「株式会社三陽物産」と記載されていた（乙第７号証）。
３　そこで、「パチンコ及びスロットマシン専用カード型景品」及び「パチンコ及びスロットマシン用卓上型景品自動払出機」について、その使用形態をみると、ゲーム場の店内に設置された「パチンコ及びスロットマシン用卓上型景品自動払出機」を利用して球数又はコイン数に応じて「パチンコ及びスロットマシン専用カード型景品」が顧客に渡される形式のものである。そうすると、これらの商品は、ゲーム場の店内で一体のものとして使用されるといえるから、これらの用途、使用場所、使用形態、需要者より、「パチンコ玉貸し機，パチンコ玉計数機，スロットマシン用メダル貸し機，メダル計数機」などの商品と類似の商品と認められる。
　また、「パチンコ及びスロットマシン専用カード型景品」は、被請求人が株式会社ジーエス企画から仕入れ、ミマツ観光有限会社などに販売された事実があり、これらの取引段階においては商品として取り引きされるものであることは明らかであるから、商標法上の商品であることも、また明らかであるといわなければならない。
４　次に、これらの商品における「商標」の使用についてみるに、商品「パチンコ及びスロットマシン専用カード型景品」に、発売元として「（株）三陽物産」と、「パチンコ及びスロットマシン用卓上型景品自動払出機」の商品カタログに「株式会社三陽物産」の文字が表されていて、これらの表示からみると、発売元と認識されると共に、自他商品の識別標識としての機能を果たしているものといえるから、商標としても認識されるものであるということができる。そして、これらの商標は、「三陽物産」の文字からなる本件商標と相違する。しかしながら、「（株）三陽物産」又は「株式会社三陽物産」の文字における「（株）」又は「株式会社」の文字は、法人の種類を示すものであって、これらの文字自体では識別標識としての機能を果たし得ないものであるから、自他商品又は役務を識別する商標としての「三陽物産」の文字からなる本件商標の本質的機能は損なわれていないというべきである。
　してみれば、商品「パチンコ及びスロットマシン専用カード型景品」に表示された「（株）三陽物産」の文字からなる商標、及び「パチンコ及びスロットマシン用卓上型景品自動払出機」の商品カタログに表示された「株式会社三陽物産」の文字からなる商標における程度の変更使用は、取引社会の通念に照らして本件商標と同一性を有するものと判断するのが相当である。
５　以上によれば、被請求人は、本件商標の請求の登録前３年以内に、本件商標と社会通念上同一の範疇に属する「（株）三陽物産」及び「株式会社三陽物産」の文字からなる商標を、請求に係る指定商品「遊園地用機械器具，パチンコ玉研磨機，メダル研磨機，パチンコ玉の自動補給回収循環装置，スロットマシン用メダルの自動補給回収循環装置，パチンコ玉貸し機，パチンコ玉計数機，スロットマシン用メダル貸し機，メダル計数機，ならびにこれらに類似する商品」に包含される「パチンコ及びスロットマシン専用カード型景品」及び「パチンコ及びスロットマシン用卓上型景品自動払出機」について使用していたものといわなければならない。
　したがって、本件商標は、商標法第５０条の規定により、請求に係る商品について、その登録を取り消すことはできない。
　よって、結論のとおり審決する。